(57)【要約】【課題】作業性が良好で、かつ端子間の接圧を充分に確保した上に、接続信頼性の向上を図る。【解決手段】タブ６２の雌側本体部１１内への挿入過程では、タブ６２の先端側の外面が第２接点２５と接触することによってバネ片１８がその延出基端を支点として撓み変形され、さらにタブ６２の挿入動作が進むに従ってタブ６２の外面に第２接点２５が摺動する。タブ６２が雌側本体部１１内に正規挿入されると、第２接点２５が凹部６８に嵌合し、それに伴ってバネ片１８が弾性復帰して、タブ６２の外面のうち第２接点２５が摺動した後の摺動面２９に第１接点２３が当接し、もって両端子１０、６０の接続がとられる。【選択図】図１
2011129271.tif 000002
【特許請求の範囲】
【請求項１】
タブを有する雄端子と、
前記タブが挿入される本体部、及びその本体部内に撓み可能に形成されたバネ片を有する雌端子とからなり、
前記タブの外面に凹部が形成され、
前記バネ片が、前記タブの前記本体部内への挿入方向とは逆向きに延出し、その延出基端側に前記タブとの第１接点を有するとともに、その延出先端側に前記タブとの第２接点を有する形態とされ、
前記タブの前記本体部内への挿入過程で、前記タブの先端側の外面が前記第２接点と接触することによって前記バネ片がその延出基端を支点として撓み変形され、さらに前記タブの挿入動作が進むに従って前記第２接点が前記タブの外面における摺動面を摺動するようになっており、前記タブが前記本体部内に正規挿入されると、前記第２接点が前記凹部に嵌合し、それに伴って前記バネ片が復帰方向に弾性変位して、前記第１接点が前記タブの前記摺動面に当接し、もって両端子同士の接続がとられることを特徴とする端子金具。
【請求項２】
前記バネ片の延出先端側には、バネ操作片が幅方向に分岐して形成されており、前記バネ操作片の延出先端部に、前記第２接点が形成されている請求項１記載の端子金具。
【請求項３】
前記凹部が有底とされている請求項１又は２記載の端子金具。
【発明の詳細な説明】
【技術分野】
【０００１】
本発明は、端子金具に関する。
【背景技術】
【０００２】
特許文献１には従来の端子金具が開示されている。これは、互いに接続可能な雌雄一対の端子からなり、雄端子がタブ状の雄端子本体を有し、雌端子が筒状の挿入部を有している。雄端子本体には孔が貫通して形成されている。雄端子本体の先端部には第１の接触部が形成され、雄端子金具の先端部後方には第２の接触部が形成されている。雄端子本体は、第１の接触部が第２の接触部よりも上位に配されるように、高さ方向に段付き状をなしている。
【０００３】
挿入部には、タブの挿入方向に沿って延出するバネ部材が撓み可能に形成されている。バネ部材の延出先端側には第１の凸部が形成され、バネ部材の延出基端側には第２の凸部が形成されている。バネ部材は、第１の凸部が第２の凸部よりも上位に配されるように、高さ方向に段付き状をなしている。
【０００４】
挿入部内に雄端子本体が挿入されると、第１の接触部が第１の凸部と当接して、バネ部材がその延出基端を支点として撓み変形される。さらに雄端子本体が深く挿入されると、第１の接触部が孔に嵌り、それに伴いバネ部材が弾性復帰して、第２の接触部が第２の凸部と当接して、両端子同士の接続がとられるようになっている。かかる構成によれば、第１の接触部と第１の凸部の当接位置が、バネ部材の撓み動作の支点から離れた位置にあるため、端子挿入力の低減を図ることができ、作業性が良好となる。一方、第２の接触部と第２の凸部の当接位置が、バネ部材の撓み動作の支点から近い位置にあるため、両端子間の接圧を充分に確保することができる。
【先行技術文献】
【特許文献】
【０００５】
【特許文献１】特開平５−２９０３７号公報
【発明の概要】
【発明が解決しようとする課題】
【０００６】
ところで、上記従来の端子金具によれば、第２の接触部が第２の凸部と当接するまで、第２の凸部に雄端子本体が接触することがなかった。このため、第２の凸部に酸化皮膜や埃等が堆積していると、両端子同士の接続後、第２の接触部と第２の凸部と接続状態が不安定になり、接続信頼性が損なわれるおそれがあった。
【０００７】
本発明は上記のような事情に基づいて完成されたものであって、作業性が良好で、かつ端子間の接圧を充分に確保した上に、接続信頼性を高めることを目的とする。
【課題を解決するための手段】
【０００８】
上記の目的を達成するための手段として、請求項１の発明は、タブを有する雄端子と、前記タブが挿入される本体部、及びその本体部内に撓み可能に形成されたバネ片を有する雌端子とからなり、前記タブの外面に凹部が形成され、前記バネ片が、前記タブの前記本体部内への挿入方向とは逆向きに延出し、その延出基端側に前記タブとの第１接点を有するとともに、その延出先端側に前記タブとの第２接点を有する形態とされ、前記タブの前記本体部内への挿入過程で、前記タブの先端側の外面が前記第２接点と接触することによって前記バネ片がその延出基端を支点として撓み変形され、さらに前記タブの挿入動作が進むに従って前記第２接点が前記タブの外面における摺動面を摺動するようになっており、前記タブが前記本体部内に正規挿入されると、前記第２接点が前記凹部に嵌合し、それに伴って前記バネ片が復帰方向に弾性変位して、前記第１接点が前記タブの前記摺動面に当接し、もって両端子同士の接続がとられるところに特徴を有する。
【０００９】
請求項２の発明は、請求項１に記載のものにおいて、前記バネ片の延出先端側には、バネ操作片が幅方向に分岐して形成されており、前記バネ操作片の延出先端部に、前記第２接点が形成されているところに特徴を有する。
【００１０】
請求項３の発明は、請求項１又は２に記載のものにおいて、前記凹部が有底とされているところに特徴を有する。
【発明の効果】
【００１１】
＜請求項１の発明＞
タブが第２接点と接触してバネ片を撓み変形させる位置が、バネ片の撓み支点から離れた、バネ片の延出先端側にあるから、タブとバネ片との間の接触抵抗を小さくできる。したがって、タブの本体部内への挿入力を低減できて、作業性が良好となる。
【００１２】
また、タブが第１接点と接触して両端子同士の接続をとる位置が、バネ片の撓み支点に近い、バネ片の延出基端側にあるから、タブとバネ片との間の接圧を大きく確保できる。
【００１３】
さらに、タブの挿入過程では、第２接点がタブの摺動面を摺動することで、タブの摺動面上に形成された酸化皮膜等が剥ぎ取られ、その後、タブが正規挿入されると、酸化皮膜等が剥ぎ取られたタブの摺動面に第１接点が当接して接続がとられるから、両端子間の接続信頼性が高められる。
【００１４】
＜請求項２の発明＞
バネ片の延出先端側にバネ操作片が幅方向に分岐して形成され、バネ操作片の延出先端部に第２接点が形成されているから、凹部の形態に第２接点を対応させることができ、凹部の成形の自由度が高められる。
【００１５】
＜請求項３の発明＞
凹部が有底とされているから、タブの強度を確保することができる。
【図面の簡単な説明】
【００１６】
【図１】本発明の実施形態１に係る端子金具において、雌雄の両端子が接続される途中の状態を示す拡大断面図である。
【図２】両端子が正規接続された状態を示す拡大断面図である。
【図３】雌端子の断面図である。
【図４】雄端子の断面図である。
【図５】雄端子のタブの拡大底面図である。
【図６】実施形態２に係る端子金具において、雌雄の両端子が接続される途中の状態を示す拡大断面図である。
【図７】両端子が正規接続された状態を示す拡大断面図である。
【発明を実施するための形態】
【００１７】
＜実施形態１＞
本発明の実施形態１を図１ないし図５によって説明する。実施形態１に係る端子金具は、互いに接続可能な雌雄一対の端子１０、６０からなり、いずれも導電性の金属板を曲げ加工等して一体に成形される。雄端子６０は、図示しない雄側コネクタに収容され、雄端子６０は、図示しない雌側コネクタに収容される。両コネクタが互いに嵌合されると、それに伴って両端子１０、６０が電気的に接続されるようになっている。
【００１８】
雄端子６０は、図４に示すように、雄側本体部６１と、雄側本体部６１の前端から前方へ突出するタブ６２と、雄側本体部６１の後方に連なる雄側バレル部６３とを備える。雄側本体部６１は、略角筒状をなし、その一側壁に、雄端子６０の雄側コネクタへの挿入案内をなすスタビライザ６６が上方へ突出して形成されている。雄側バレル部６３は、図示しない電線の端末芯線にかしめ接続されるオープンバレル状のワイヤバレル部６４と、ワイヤバレル部６４の後方に位置して電線の端末被覆にかしめ接続されるオープンバレル状のインシュレーションバレル部６５とからなる。
【００１９】
タブ６２は、幅方向に扁平でかつ前後方向に細長い形状をなしている。タブ６２の先端側には、先窄み状の誘い込み部６７が全周に亘って切り欠かれて形成されている。また、タブ６２の長さ方向中間部の下面には、有底の凹部６８が形成されている。この凹部６８は、図５に示すように、平面視略矩形状をなしている。そして、凹部６８内には、両端子１０、６０の正規接続時に、後述するバネ操作片２４の先端（第２接点２５）が進入して逃がされるようになっている。
【００２０】
雌端子１０は、図３に示すように、雌側本体部１１と、雌側本体部１１の後方に連なる雌側バレル部１２とを備える。雌側バレル部１２は、雄側バレル部６３と同様、ワイヤバレル部１３とインシュレーションバレル部１４とからなる。
【００２１】
雌側本体部１１は、前後方向に細長い略角筒状をなし、その内部に前方からタブ６２が挿入されるようになっている。雌側本体部１１は、底壁１５、天井壁１６、左右一対の側壁１７によって構成され、底壁１５には、撓み可能なバネ片１８が形成されている。バネ片１８は、底壁１５の中間部に門型の切り込みを入れ、切り込みの内側の部分を雌側本体部１１内へ起こしてなり、前方へ向けて片持ち状に突出する形態をなしている。詳しくはバネ片１８は、図１に示すように、その延出基端から前方へ向けて上り勾配で延びるテーパ状の基端側斜面部２１と、その頂部から前方へ向けて下り勾配で延びるテーパ状の先端側斜面部２２とを有している。バネ片１８の頂部には、略ドーム状の第１接点２３が上方へ叩き出して形成されている。
【００２２】
また、バネ片１８の延出先端側には、バネ操作片２４が先端側斜面部２２との間で幅方向に分岐して形成されている。バネ操作片２４は、バネ片１８における第１接点２３よりも少し前方の位置から前方へ向けて上り勾配で延びるテーパ状の形態とされている。バネ操作片２４の延出先端は、幅方向に沿った第２接点２５とされ、第１接点２３よりも上方に配されている。天井壁１６には、第１接点２３とその上方で対向する位置に、受け部２６が下方へ叩き出して形成されている。受け部２６の下面は、前後方向に沿ってフラットな受け面２７とされている。受け部２６の受け面２７と第１接点２３との間は、バネ片１８が自然状態にあるときに、タブ６２の厚みよりも少し小さい隙間があけられている。
【００２３】
以上が実施形態１に係る端子金具の構造であり、続いて、両端子１０、６０の接続動作について説明する。
図示しない両コネクタが嵌合されるに伴い、雌側本体部１１内に前方からタブ６２が挿入される。タブ６２の先端部が雌側本体部１１内に挿入されると、タブ６２の誘い込み部６７の下面に第２接点２５が当接し、それに伴ってバネ片１８がその延出基端を支点として下方へ撓み変形される。さらにタブ６２が深く挿入されると、図１に示すように、タブ６２の下面に第２接点２５が摺動し、その第２接点２５が摺動した跡として、タブ６２の下面に摺動面２９が形成されていく。ここで、仮に、タブ６２の下面に酸化皮膜や埃等の異物が堆積していても、第２接点２５のワイピング作用により、タブ６２の下面から該異物が除去されて摺動面２９が新生される。
【００２４】
そして、タブ６２が雌側本体部１１内に正規深さで挿入されると、図２に示すように、第２接点２５が凹部６８に下方から嵌り、それに伴ってバネ片１８が弾性復帰方向に戻り変形して、第１接点２３がタブ６２の摺動面２９に下方から当接する。これにより、受け部２６の受け面２７と第１接点２３の間にタブ６２が弾性的に挟持され、もって両端子１０、６０同士が電気的に接続される。
【００２５】
以上説明したように実施形態１によれば、タブ６２が第２接点２５と接触してバネ片１８を撓み変形させる位置が、バネ片１８の撓み支点から離れた、バネ片１８の延出先端側に設定されているため、タブ６２とバネ片１８との間の接触抵抗を小さくできる。したがって、タブ６２の雌側本体部１１内への挿入力を低減できて、作業性が良好となる。
【００２６】
また、タブ６２が第１接点２３と接触して両端子１０、６０同士の接続をとる位置が、バネ片１８の撓み支点に近い、バネ片１８の延出基端側にあるから、タブ６２とバネ片１８との間の接圧を大きく確保できる。
【００２７】
さらに、タブ６２の挿入過程では、第２接点２５がタブ６２の摺動面２９を摺動することで、タブ６２の摺動面２９上に形成された酸化皮膜等の異物が剥ぎ取られ、その後、タブ６２が正規挿入されると、酸化皮膜等が剥ぎ取られたタブ６２の摺動面２９に第１接点２３が当接して接続がとられるから、両端子１０、６０間の接続信頼性が高められる。
【００２８】
しかも、バネ片１８の延出先端側にバネ操作片２４が幅方向に分岐して形成され、バネ操作片２４の延出先端に第２接点２５が形成されているから、例えば、凹部６８が開口幅が狭い等の事情があっても、第２接点２５をそれに対応させることができ、凹部６８の成形の自由度が高められる。また、凹部６８が有底とされているから、タブ６２の強度を確保することができる。
【００２９】
＜実施形態２＞
本発明の実施形態２に係る端子金具を図６及び図７に示す。実施形態２では、バネ操作片３４の形態が実施形態１とは異なる。その他は、実施形態１と同様であり、実施形態１と同一部位には同一符合を付し、重複する説明は省略する。
【００３０】
このバネ操作片３４は、バネ片１８における第１接点２３よりも少し前方の位置から前方へ向け上り勾配で延びるテーパ状の後部操作片３５と、その頂部から前方へ向けて下り勾配で延びるテーパ状の前部操作片３６とからなる。ここで、第２接点３３は、バネ操作片３４の頂部及び前部操作片３６の上端部によって構成されている。
【００３１】
タブ６２の雌側本体部１１内への挿入過程では、タブ６２の誘い込み部６７が第２接点３３を摺動して、バネ片１８がその延出基端を支点として下方へ撓み変形される。タブ６２が雌側本体部１１内に正規挿入されると、第２接点３３が凹部６８に下方から嵌り、それに伴ってバネ片１８が弾性復帰方向に戻り変形して、第１接点２３がタブ６２の摺動面２９に下方から当接し、もって両端子１０、６０同士の接続がとられる。
【００３２】
実施形態２によれば、前部操作片３６がタブ６２の挿入方向に沿って前下がりに傾斜する形態をなしているから、前部操作片３６によってタブ６２の接点位置への誘い込みがなされる。
【００３３】
＜他の実施形態＞
本発明は上記記述及び図面によって説明した実施形態に限定されるものではなく、例えば次のような実施形態も本発明の技術的範囲に含まれる。
（１）凹部は、タブを厚み方向に貫通する形態であってもよい。
（２）凹部は、タブの一側縁を切り欠いた形態であってもよい。
（３）バネ操作片及び第２接点は、バネ片の全幅に亘って形成されるものであってもよい。
【符号の説明】
【００３４】
１０…雌端子
１１…本体部（雌側本体部）
１８…バネ片
２３…第１接点
２４…バネ操作片
２５、３３…第２接点
２９…摺動面
６０…雄端子
６２…タブ
６８…凹部
【図１】
2011129271.tif 000003
【図２】
2011129271.tif 000004
【図３】
2011129271.tif 000005
【図４】
2011129271.tif 000006
【図５】
2011129271.tif 000007
【図６】
2011129271.tif 000008
【図７】
2011129271.tif 000009